(57)【特許請求の範囲】
【請求項１】
計時数字認識モジュール、時間差確定モジュール、時点ジャンプモジュール、及び広告画面確認モジュールを備えるフィルタリング装置により行われるビデオ広告のフィルタリング方法であって、
前記計時数字認識モジュールが、ビデオ広告画面中の計時領域における計時数字を認識するステップと、
前記時間差確定モジュールが、計時数字の認識結果に基づいて、広告再生終了の時点と現在の時点との時間差を確定するステップと、
前記時点ジャンプモジュールが、前記時間差に基づいて、ビデオの再生時点を広告再生終了の時点にジャンプさせるステップと、
を含むことを特徴とする、ビデオ広告のフィルタリング方法。
【請求項２】
前記時間差確定モジュールが第一時間差確定ユニットを含んでおり、
前記時間差確定モジュールが、前記の計時数字の認識結果に基づいて、広告再生終了の時点と現在の時点との時間差を確定するステップにおいては、
前記第一時間差確定ユニットが、現在の時点での前記計時領域における計時数字の認識結果を、広告再生終了の時点と現在の時点との時間差とするステップを含むことを特徴とする、請求項１に記載の方法。
【請求項３】
前記時間差確定モジュールが計時モード確定ユニットと、第二時間差確定ユニットとを更に含んでおり、
前記時間差確定モジュールが、前記の計時数字の認識結果に基づいて、広告再生終了の時点と現在の時点との時間差を確定するステップにおいては、
前記計時モード確定ユニットが、現在の時点及び参照時点での計時領域における計時数字の大きさの関係と、前記現在の時点と前記参照時点との前後関係に基づいて、前記計時数字がカウントダウン数字であるか否かを確定するステップと、
前記第二時間差確定ユニットが、前記計時数字がカウントダウン数字である場合に、現在の時点での計時数字を広告再生終了の時点と現在の時点との時間差とするステップと、
を含むことを特徴とする、請求項１に記載の方法。
【請求項４】
前記計時数字認識モジュールが、ビデオ広告画面中の計時領域における計時数字を認識する前に、
前記広告画面確認モジュールが、ビデオ画面に計時領域が含まれているか否かを認識し、前記ビデオ画面に計時領域が含まれている場合に、前記ビデオ画面がビデオ広告画面であると確認するステップをさらに含むことを特徴とする、請求項２又は３に記載の方法。
【請求項５】
前記計時数字認識モジュールが、テキスト認識ユニットを含んでおり、
前記計時数字認識モジュールが、前記のビデオ広告画面中の計時領域における計時数字を認識するステップにおいては、
前記テキスト認識ユニットが、テキスト認識アルゴリズムによって、前記ビデオ広告画面中の計時領域から前記計時数字を認識するステップを含むことを特徴とする、請求項１〜４のいずれかに記載の方法。
【請求項６】
ビデオ広告画面中の計時領域における計時数字を認識するように設置されている計時数字認識モジュールと、
計時数字の認識結果に基づいて、広告再生終了の時点と現在の時点との時間差を確定するように設置されている時間差確定モジュールと、
前記時間差に基づいて、ビデオの再生時点を広告再生終了の時点にジャンプさせるように設置されている時点ジャンプモジュールと、
を含むことを特徴とする、ビデオ広告のフィルタリング装置。
【請求項７】
前記時間差確定モジュールは、
現在の時点での前記計時領域における計時数字の認識結果を、広告再生終了の時点と現在の時点との時間差とするように設置されている第一時間差確定ユニットを含むことを特徴とする、請求項６に記載の装置。
【請求項８】
前記時間差確定モジュールは、
現在の時点及び参照時点での計時領域における計時数字の大きさの関係と、前記現在の時点と前記参照時点との前後関係に基づいて、前記計時数字がカウントダウン数字であるか否かを確定するように設置されている計時モード確定ユニットと、
前記計時数字がカウントダウン数字である場合に、現在の時点での計時数字を広告再生終了の時点と現在の時点との時間差とするように設置されている第二時間差確定ユニットと、
を含むことを特徴とする、請求項６に記載の装置。
【請求項９】
ビデオ広告画面中の計時領域における計時数字を認識する前に、ビデオ画面に計時領域が含まれているか否かを認識し、前記ビデオ画面に計時領域が含まれている場合に、前記ビデオ画面がビデオ広告画面であると確認するように設置されている広告画面確認モジュールをさらに含むことを特徴とする、請求項７又は８に記載の装置。
【請求項１０】
前記計時数字認識モジュールは、
テキスト認識アルゴリズムによって、前記ビデオ広告画面中の計時領域から前記計時数字を認識するように設置されているテキスト認識ユニットを含むことを特徴とする、請求項６〜９のいずれかに記載の装置。
【請求項１１】
少なくとも一つのプロセッサと、記憶装置と、前記記憶装置に記憶されて前記少なくとも一つのプロセッサにて実行される少なくとも一つのコンピュータプログラムとを含んでおり、前記コンピュータプログラムが、
ビデオ広告画面中の計時領域における計時数字を認識するステップと、
計時数字の認識結果に基づいて、広告再生終了の時点と現在の時点との時間差を確定するステップと、
前記時間差に基づいて、ビデオの再生時点を広告再生終了の時点にジャンプさせるステップと、
を実行させるような命令を含むことを特徴とする、ビデオ広告のフィルタリング方法を実行する設備。
【発明の詳細な説明】
【優先権主張】
【０００１】
本特許出願は、２０１４年９月９日に提出された出願番号が２０１４１０４５５６７７．４であり、出願人が安一恒通（北京）科技有限公司であり、発明の名称が「ビデオ広告のフィルタリング方法及び装置」である中国特許出願の優先権を主張し、当該出願の全内容が、参照により、本願明細書に組み込まれている。
【技術分野】
【０００２】
本発明は、ネットワーク通信技術の分野に関し、特にビデオ広告のフィルタリング方法、装置及び設備に関する。
【背景技術】
【０００３】
新世紀に入って以来、インターネット技術が絶えず発展していくことに従って、人々はネットワークから文字やピクチャーなどの情報だけを取得することに満足しなくなり、インターネットというプラットフォームによってより動的且つ生き生きとしたビデオ番組を視聴する希望がある。ビデオサイトはこの機運に応じて生まれ、近年では非常に高い速度で発展していく。ビデオサイトとは、オーディオ・ビデオ番組を作成したり、集成したり、放送したりして、あるいは、オーディオ・ビデオをアップロードしてネチズンにシェアサービスを提供するウェブサイトである。
【０００４】
広告はビデオサイトの運営において不可欠なものである。一般には、ユーザはビデオサイトで画像番組を視聴する場合、割り込み広告をフィルタリングできればうれしいと思っている。しかしながら、従来のブラウザはこの課題に対応する技術手段を持っていない。
【発明の概要】
【発明が解決しようとする課題】
【０００５】
本発明は以上の課題に鑑みて、ビデオ番組における割り込み広告をフィルタリングするために、ビデオ広告のフィルタリング方法、装置及び設備を提供する。
【課題を解決するための手段】
【０００６】
第一方面について、
ビデオ広告画面中の計時領域における計時数字を認識するステップと、
計時数字の認識結果に基づいて、広告再生終了の時点と現在の時点との時間差を確定するステップと、
前記時間差に基づいて、ビデオの再生時点を広告再生終了の時点にジャンプさせるステップと、
を含むビデオ広告のフィルタリング方法を提供する。
【０００７】
第二方面について、
ビデオ広告画面中の計時領域における計時数字を認識するための計時数字認識モジュールと、
計時数字の認識結果に基づいて、広告再生終了の時点と現在の時点との時間差を確定するための時間差確定モジュールと、
前記時間差に基づいて、ビデオの再生時点を広告再生終了の時点にジャンプさせるための時点ジャンプモジュールと、
を含むビデオ広告のフィルタリング装置を提供する。
【０００８】
第三方面について、
少なくとも一つのプロセッサと、記憶装置と、前記記憶装置に記憶されて前記少なくとも一つのプロセッサにて実行される少なくとも一つのコンピュータプログラムとを含んでおり、前記コンピュータプログラムが、
ビデオ広告画面中の計時領域における計時数字を認識するステップと、
計時数字の認識結果に基づいて、広告再生終了の時点と現在の時点との時間差を確定するステップと、
前記時間差に基づいて、ビデオの再生時点を広告再生終了の時点にジャンプさせるステップと、
を実行させるような命令を含むビデオ広告のフィルタリング方法を実行する設備をさらに提供する。
【０００９】
本発明によるビデオ広告のフィルタリング方法及び装置は、ビデオ広告画面中の計時領域における計時数字を認識し、計時数字の認識結果に基づいて広告再生終了の時点と現在の時点との時間差を確定し、そしてこの時間差に基づいてビデオの再生時点を広告再生終了の時点にジャンプさせることによって、放送中のビデオ番組の割り込み広告をフィルタリングすることができる。
【図面の簡単な説明】
【００１０】
以下の図面を参照しながら非限定的な実施例を詳細に説明することにより、本願の他の特徴、目的及び利点はより明らかになる。
【図１】本発明の第１実施例によるビデオ広告のフィルタリング方法のフローチャートである。
【図２】本発明の第１実施例によるビデオ広告の表示インタフェースの図である。
【図３】本発明の第３実施例によるビデオ広告のフィルタリング方法における時間差を確定するステップのフローチャートである。
【図４】本発明の第４実施例によるビデオ広告のフィルタリング方法のフローチャートである。
【図５】本発明の第５実施例によるビデオ広告のフィルタリング装置の構造図である。
【図６】本発明の第７実施例によるビデオ広告のフィルタリング方法を実行する設備のハードウェア構造図である。
【発明を実施するための形態】
【００１１】
以下、図面と実施例を参照しながら本願をさらに詳細に説明する。ここで説明されている具体的な実施例は係る発明を解釈するためのものに過ぎず、本発明の範囲を制限するものではないことを理解することができる。さらに、説明の便宜上、図面には本発明と関連する部分のみが示されている。
【００１２】
第１実施例
図１は、本発明の第１実施例によるビデオ広告のフィルタリング方法のフローチャートである。前記ビデオ広告のフィルタリング方法はビデオ広告のフィルタリング装置にて実施される。前記ビデオ広告のフィルタリング装置はインターネットに接続されているクライアント端末に統合されており、前記クライアント端末はブラウザ又はその他のクライアント側プログラムによりインターネットにおけるビデオ番組にアクセスすることができる。図１を参照して、前記ビデオ広告のフィルタリング方法はＳ１１０、Ｓ１２０及びＳ１３０を含む。
【００１３】
Ｓ１１０においては、ビデオ広告画面中の計時領域における計時数字を認識する。
【００１４】
前記ビデオ広告画面とは、ビデオサイトをブラウジングする時にビデオ広告のフィルタリング装置が受信するビデオ広告の画面であり、ビデオ画面全体の一部である。まず、大まかに推定してビデオ画面全体からビデオ広告画面を確定することができ、例えば、一般的な映画ビデオの前部にはいずれも広告が挿入されていると考えることができるため、ビデオ画面の初期画面はビデオ広告画面となっている。
【００１５】
図２は、本発明の第１実施例によるビデオ広告の表示インタフェースの図である。図２を参照して、前記ビデオ広告画面には計時領域２０１が含まれている。前記計時領域２０１には計時数字２０２がある。前記計時数字２０２は、ビデオ広告再生終了の時点までの時間間隔をカウントするためのものである。
【００１６】
前記ビデオ広告のフィルタリング装置は、ビデオ広告において計時領域を認識し、さらに文字認識を行うことによって、前記ビデオ広告画面中の計時領域から計時数字を認識することができる。好ましくは、前記ビデオ広告のフィルタリング装置はテキスト認識アルゴリズムによって、前記ビデオ広告画面中の計時領域から前記計時数字を認識することができる。
【００１７】
Ｓ１２０においては、計時数字の認識結果に基づいて、広告再生終了の時点と現在の時点との時間差を確定する。
【００１８】
前記ビデオ広告のフィルタリング装置はテキスト認識アルゴリズムにより前記ビデオ広告画面から前記計時数字の認識結果を取得した後に、前記計時数字に対する認識結果に基づいて広告再生終了の時点と現在の時点との時間差を確定することができる。
【００１９】
Ｓ１３０においては、前記時間差に基づいて、ビデオの再生時点を広告再生終了の時点にジャンプさせる。
【００２０】
前記ビデオ広告のフィルタリング装置はテキスト認識アルゴリズムにより前記ビデオ広告画面から前記計時数字の認識結果を取得した後に、ビデオの再生時間を広告再生終了の時点にジャンプさせる。
【００２１】
本実施例では、ビデオ広告画面中の計時領域における計時数字を認識し、計時数字の認識結果に基づいて広告再生終了の時点と現在の時点との時間差を確定し、前記時間差に基づいてビデオの再生時点を広告再生終了の時点にジャンプさせることによって、クライアント側はビデオ番組における割り込み広告をフィルタリングすることが可能になる。
【００２２】
第２実施例
本実施例によるビデオ広告のフィルタリング方法は本発明の第１実施例に基づくものであり、さらに、計時数字の認識結果に基づいて広告再生終了の時点と現在の時点との時間差を確定するステップにおいては、Ｓ１２１を含む。
【００２３】
Ｓ１２１において、現在の時点の、前記計時領域における計時数字の認識結果を、広告再生終了の時点と現在の時点との時間差とする。
【００２４】
前記計時領域における計時数字は、ビデオ広告の再生時間をカウントダウンによって計時する場合が多い。また、現在のコンピュータの計算速度がだいたい速くなったため、前記計時数字の認識に必要な時間を無視してもよい。したがって、現在の時点の、前記計時領域における計時数字の認識結果を、広告再生終了の時点と現在の時点との時間差とすることができる。
【００２５】
本実施例では、現在の時点での前記計時領域における計時数字の認識結果を広告再生終了の時点と現在の時点との時間差とすることによって、前記ビデオ広告のフィルタリング装置は計時数字に対する認識結果に基づいて広告再生終了の時点と現在の時点との時間差を確定でき、ビデオ広告をフィルタリングすることが可能になる。
【００２６】
第３実施例
図３は、本発明の第３実施例によるビデオ広告のフィルタリング方法における時間差を確定するステップのフローチャートである。前記ビデオ広告のフィルタリング方法は本発明の第１実施例に基づくものであり、さらに、計時数字の認識結果に基づいて広告再生終了の時点と現在の時点との時間差を確定するステップにおいては、現在の時点及び参照時点での計時領域における計時数字の大きさの関係と、前記現在の時点と前記参照時点との前後関係に基づいて、前記計時数字がカウントダウン数字であるか否かを確定するステップと、前記計時数字がカウントダウン数字である場合に、現在の時点での計時数字を広告再生終了の時点と現在の時点との時間差とするステップとを含む。
【００２７】
図３を参照して、計時数字の認識結果に基づいて広告再生終了の時点と現在の時点との時間差を確定するステップにおいては、Ｓ１２２とＳ１２３とを含む。
【００２８】
Ｓ１２２においては、現在の時点及び参照時点での計時領域における計時数字の大きさの関係と、前記現在の時点と前記参照時点との前後関係に基づいて、前記計時数字がカウントダウン数字であるか否かを確定する。
【００２９】
ほとんどのビデオ広告画面中の計時数字はカウントダウン数字であるが、一部のビデオ広告画面中の計時数字はカウントアップ数字である可能性もある。前記計時数字はカウントダウン数字であることを確保するために、前記広告ビデオの再生時間軸から一つの参照時点を選択し、現在の時点と参照時点での計時領域における計時数字の大きさの関係と、現在の時点と前記参照時点との前後関係に基づいて、前記計時数字がカウントダウン数字であるか否かを確定する。
【００３０】
例示的には、前記参照時点は現在の時点の後にある場合に、前記参照時点での計時数字は現在の時点での計時数字より小さければ、前記計時数字はカウントダウン数字である一方、前記参照時点での計時数字は現在の時点での計時数字より大きければ、前記計時数字はカウントアップ数字である。
【００３１】
前記参照時点を選択する際に、前記参照時点と現在の時点との時間間隔として小さすぎるものを選択しない方が良いことに注意すべきである。前記参照時点と現在の時点との時間間隔は１秒間より小さい場合に、前記参照時点及び現在の時点での計時数字が同一になる可能性があり、計時数字の計時モードを判断しにくくなってしまう。
【００３２】
Ｓ１２３においては、前記計時数字がカウントダウン数字である場合に、現在の時点での計時数字を広告再生終了の時点と現在の時点との時間差とする。
【００３３】
前記計時数字がカウントダウン数字であるか否かを判断することによって、前記計時数字がカウントダウン数字であると確認する場合に、現在の時点での計時数字を広告再生終了の時点と現在の時点との時間差とする。
【００３４】
本実施例では、広告再生終了の時点と現在の時点との時間差を確認する前に参照時点を選択し、前記参照時点及び現在の時点での計時数字の大きさの関係に基づいて前記計時数字がカウントダウン数字であるか否かを確定することによって、広告をフィルタリングする時にジャンプすべき時間間隔をより正確に判断し、ビデオ広告のフィルタリングの正確性を向上させた。
【００３５】
第４実施例
図４は、本発明の第四の実施例によるビデオ広告のフィルタリング方法のフローチャートである。前記ビデオ広告のフィルタリング方法は本発明の第一の実施例に基づくものであり、さらに、ビデオ広告画面中の計時領域における計時数字を認識する前に、ビデオ画面に計時領域が含まれているか否かを認識し、前記ビデオ画面に計時領域が含まれている場合に、前記ビデオ画面がビデオ広告画面であると確認するステップをさらに含む。
【００３６】
図４を参照して、前記ビデオ広告のフィルタリング方法はＳ４１０、Ｓ４２０、Ｓ４３０及びＳ４４０を含む。
【００３７】
Ｓ４１０においては、ビデオ画面に計時領域が含まれているか否かを認識し、前記ビデオ画面に計時領域が含まれている場合に、前記ビデオ画面がビデオ広告画面であると確認する。
【００３８】
ビデオ広告はビデオ番組の開始部分、終了部分又は途中部分に挿入される可能性がある。このため、前記ビデオ広告のフィルタリング装置はビデオ広告をフィルタリングする前、再生中のビデオがビデオ広告であるか否かを確定する必要がある。
【００３９】
動画広告は、それが再生されている場合ではその画面に計時領域が埋め込まれている点について、動画番組の画面と顕著に異なっている。ビデオ番組を再生する場合に、前記ビデオ画面に計時領域が埋め込まれていない。このため、ビデオ画面に計時領域が含まれているか否かを認識することによって、前記ビデオ画面がビデオ広告画面であるか否かを判断することができる。
【００４０】
好ましくは、ビデオ画像認識アルゴリズムにより前記ビデオ画面に計時領域が含まれているか否かを認識することができる。
【００４１】
Ｓ４２０においては、ビデオ広告画面中の計時領域における計時数字を認識する。
【００４２】
Ｓ４３０においては、計時数字の認識結果に基づいて、広告再生終了の時点と現在の時点との時間差を確定する。
【００４３】
Ｓ４４０においては、前記時間差に基づいて、ビデオの再生時点を広告再生終了の時点にジャンプさせることである。
【００４４】
本実施例では、ビデオ広告画面中の計時領域における計時数字を認識する前に、ビデオ画面に計時領域が含まれているか否かを認識することにより前記ビデオ画面がビデオ広告画面であるか否かを確認し、これによって、ビデオ再生の時にビデオがビデオ広告であるか否かを同期的に確認でき、ビデオ広告のフィルタリングの即時性を向上させた。
【００４５】
第５実施例
図５は、本発明の第５実施例によるビデオ広告のフィルタリング装置の構造図である。図５を参照して、前記ビデオ広告のフィルタリング装置は、計時数字認識モジュール５２０と、時間差確定モジュール５３０と、時点ジャンプモジュール５４０とを含む。
【００４６】
前記計時数字認識モジュール５２０は、ビデオ広告画面中の計時領域における計時数字を認識するように設置されている。
【００４７】
前記時間差確定モジュール５３０は、計時数字の認識結果に基づいて、広告再生終了の時点と現在の時点との時間差を確定するように設置されている。
【００４８】
前記時点ジャンプモジュール５４０は、前記時間差に基づいて、ビデオの再生時点を広告再生終了の時点にジャンプさせるように設置されている。
【００４９】
好ましくは、前記時間差確定モジュール５３０は第一時間差確定ユニット５３１を含む。
【００５０】
前記第一時間差確定ユニット５３１は、現在の時点での、前記計時領域における計時数字の認識結果を、広告再生終了の時点と現在の時点との時間差とするように設置されている。
【００５１】
好ましくは、前記時間差確定モジュール５３０は計時モード確定ユニット５３２と、第二時間差確定ユニット５３３とを含む。
【００５２】
前記計時モード確定ユニット５３２は、現在の時点及び参照時点での計時領域における計時数字の大きさの関係と、前記現在の時点と前記参照時点との前後関係に基づいて、前記計時数字がカウントダウン数字であるか否かを確定するように設置されている。
【００５３】
前記第二時間差確定ユニット５３３は、前記計時数字がカウントダウン数字である場合に、現在の時点での計時数字を広告再生終了の時点と現在の時点と時間差とするように設置されている。
【００５４】
好ましくは、前記ビデオ広告のフィルタリング装置は広告画面確認モジュール５１０をさらに含む。
【００５５】
前記広告画面確認モジュール５１０は、ビデオ広告画面中の計時領域における計時数字を認識する前に、ビデオ画面に計時領域が含まれているか否かを認識し、前記ビデオ画面に計時領域が含まれている場合に、前記ビデオ画面がビデオ広告画面であると確認するように設置されている。
【００５６】
好ましくは、前記計時数字認識モジュール５２０はテキスト認識ユニット５２１を含む。
【００５７】
前記テキスト認識ユニット５２１は、テキスト認識アルゴリズムによって、前記ビデオ広告画面中の計時領域から前記計時数字を認識するように設置されている。
【００５８】
第６実施例
本実施例は、
一つ又は複数のモジュールを記憶しており、前記一つ又は複数のモジュールがビデオ広告のフィルタリング方法を実行するサーバにて実行される場合に、前記サーバは、
ビデオ広告画面中の計時領域における計時数字を認識するステップと、
計時数字の認識結果に基づいて、広告再生終了の時点と現在の時点との時間差を確定するステップと、
前記時間差に基づいて、ビデオの再生時点を広告再生終了の時点にジャンプさせるステップと、
を実行させる、非揮発性のコンピュータ記憶媒体をさらに提供する。
【００５９】
上記の記憶媒体に記憶されているモジュールが前記サーバにて実行される時に、計時数字の認識結果に基づいて広告再生終了の時点と現在の時点との時間差を確定するステップにおいては、
現在の時点での前記計時領域における計時数字の認識結果を、広告再生終了の時点と現在の時点との時間差とするステップを含む。
【００６０】
上記の記憶媒体に記憶されているモジュールが前記サーバにて実行される時、計時数字の認識結果に基づいて広告再生終了の時点と現在の時点との時間差を確定するステップにおいては、
現在の時点及び参照時点での計時領域における計時数字の大きさの関係と、前記現在の時点と前記参照時点との前後関係に基づいて、前記計時数字がカウントダウン数字であるか否かを確定するステップと、
前記計時数字がカウントダウン数字である場合に、現在の時点での計時数字を広告再生終了の時点と現在の時点との時間差とするステップとを含む。
【００６１】
上記の記憶媒体に記憶されているモジュールが前記サーバにて実行される時に、計時数字の認識結果に基づいて広告再生終了の時点と現在の時点との時間差を確定するステップにおいては、
現在の時点及び参照時点での計時領域における計時数字の大きさの関係と、前記現在の時点と前記参照時点との前後関係に基づいて、前記計時数字がカウントダウン数字であるか否かを確定するステップと、
前記計時数字がカウントダウン数字である場合に、現在の時点での計時数字を広告再生終了の時点と現在の時点との時間差とするステップとを含む。
【００６２】
上記の記憶媒体に記憶されているモジュールが前記サーバにて実行される時に、ビデオ広告画面中の計時領域における計時数字を認識する前に、
ビデオ画面に計時領域が含まれているか否かを認識し、前記ビデオ画面に計時領域が含まれている場合に、前記ビデオ画面がビデオ広告画面であると確認するステップをさらに含む。
【００６３】
上記の記憶媒体に記憶されているモジュールが前記サーバにて実行される時に、ビデオ広告画面中の計時領域における計時数字を認識するステップにおいては、
テキスト認識アルゴリズムによって、前記ビデオ広告画面中の計時領域から前記計時数字を認識するステップを含む。
【００６４】
第７実施例
図６は、本発明の第７実施例によるビデオ広告のフィルタリング方法を実行する設備のハードウェア構造図である。図６を参照して、本発明の第８実施例によるビデオ広告のフィルタリング方法を実行する設備のハードウェア構造の模式図である。当該設備は、
一つ又は複数のプロセッサ６１０（図６では一つのプロセッサ６１０を例とする）と、
記憶装置６２０と、
一つ又は複数のモジュールと、
を含む。
【００６５】
前記サーバは入力装置６３０と出力装置６４０とをさらに含んでもよい。前記サーバにおけるプロセッサ６１０、記憶装置６２０、入力装置６３０及び出力装置６４０はバス又は他の手段により接続されてもよい（図６ではバスによる接続を例とする）。
【００６６】
記憶装置６２０は、コンピュータ可読記憶媒体として、ソフトウェアプログラム、コンピュータ実行可能なプログラム及びモジュールを記憶することに用いられてもよく、例えば、本発明の実施例における公共交通情報の表現方法に対応するプログラム命令／モジュール（例えば、図５に示されるビデオ広告のフィルタリング装置における広告画面確認モジュール５１０及び計時数字認識モジュール５２０）を記憶することに用いられる。プロセッサ６１０は、記憶装置６２０に記憶されているソフトウェアプログラム、命令及びモジュールを実行することによって、サーバの各種の機能的アプリケーション及びデータ処理を実行して、つまり、上記した方法の実施例における公共交通情報の表現方法を実現した。
【００６７】
記憶装置６２０はプログラム記憶領域とデータ記憶領域とを含んでもよく、そのうち、プログラム記憶領域はオペレーティングシステムと少なくとも一つの機能に必要なアプリケーションプログラムとを記憶することができ、データ記憶領域は端末装置の使用に応じて作成されたデータ等を記憶することができる。また、記憶装置６２０は高速ランダムアクセスメモリを含んでもよく、非揮発性の記憶装置、例えば少なくとも一つのディスクメモリ、フラッシュメモリ、又はその他の非揮発性の固体メモリを含んでもよい。いくつかの実例では、記憶装置６２０はプロセッサ６１０に対して遠隔設置された記憶装置をさらに含んでもよく、これらの遠隔記憶装置はネットワークを介して端末装置に接続することができる。上記ネットワークの実例は、インターネット、イントラネット、ローカルエリアネットワーク、移動通信ネットワーク及びその組合せを含むがこれに限定されるものではない。
【００６８】
入力装置６３０は、入力された数字又は文字情報を受信し、端末のユーザ設定及び機能制御に関するキー信号の入力を発生することに用いられることができる。出力装置６４０はディスプレイ等の表示装置を含んでもよい。
【００６９】
前記一つ又は複数のモジュールは前記記憶装置６２０に記憶されており、前記一つ又は複数のプロセッサ６１０にて実行される場合に、
ビデオ広告画面中の計時領域における計時数字を認識するステップと、
計時数字の認識結果に基づいて、広告再生終了の時点と現在の時点との時間差を確定するステップと、
前記時間差に基づいて、ビデオの再生時点を広告再生終了の時点にジャンプさせるステップと、
が実行されるようになる。
【００７０】
さらに、計時数字の認識結果に基づいて広告再生終了の時点と現在の時点との時間差を確定するステップにおいては、
現在の時点での前記計時領域における計時数字の認識結果を、広告再生終了の時点と現在の時点との時間差とするステップを含む。
【００７１】
さらに、計時数字の認識結果に基づいて広告再生終了の時点と現在の時点との時間差を確定するステップにおいては、
現在の時点及び参照時点での計時領域における計時数字の大きさの関係と、前記現在の時点と前記参照時点との前後関係に基づいて、前記計時数字がカウントダウン数字であるか否かを確定するステップと、
前記計時数字がカウントダウン数字である場合に、現在の時点での計時数字を広告再生終了の時点と現在の時点との時間差とするステップと、
を含む。
【００７２】
さらに、ビデオ広告画面中の計時領域における計時数字を認識する前に、
ビデオ画面に計時領域が含まれているか否かを認識し、前記ビデオ画面に計時領域が含まれている場合に、前記ビデオ画面がビデオ広告画面であると確認するステップをさらに含む。
【００７３】
さらに、ビデオ広告画面中の計時領域における計時数字を認識するステップにおいては、
テキスト認識アルゴリズムによって、前記ビデオ広告画面中の計時領域から前記計時数字を認識することを含む。
【００７４】
上記した本発明の実施例の番号は説明のためのものに過ぎず、実施例の優劣を示すものではない。
【００７５】
上記した本発明の各モジュール又は各ステップは汎用の計算装置により実現でき、単一の計算装置に統合されてもよく、又は複数の計算装置からなるネットワークに分布されてもよく、任意に、それらがコンピュータ装置で実行可能なプログラムコードにより実現でき、これにより、それらを記憶装置に記憶して計算装置で実行されてもよく、あるいは、それらを各集積回路モジュールにそれぞれ作成したり、そのうちの複数のモジュール又はステップを単一の集積回路モジュールに作成したりすることによって実現することもできることを、当業者は理解すべきである。このように、本発明はいかなる特定のハードウェアとソフトウェアとの組合せにも制限されないものとなっている。
【００７６】
本明細書における各実施例はいずれも漸進して説明されるものであり、実施例毎において重点的に説明されるのは他の実施例との相違であり、各実施例の間の同じまたは似ている部分については互いに参照すればよい。
【００７７】
上記は本発明の好ましい実施例に過ぎず、本発明を制限するためものでなはく、本発明は様々な変更や変形を行うことができることは当業者にとって明らかである。本発明の精神と原理の範囲においてなされたあらゆる変更、等価交換、改良等は、本発明の保護範囲に含まれるべきである。
【図１】
0006353542.tif 000002
【図２】
0006353542.tif 000003
【図３】
0006353542.tif 000004
【図４】
0006353542.tif 000005
【図５】
0006353542.tif 000006
【図６】
0006353542.tif 000007